(57)【特許請求の範囲】
【請求項１】
床・ベランダ等のスラブに穿設された開口部に取り付けられ、床面側に上方蓋が、天井面側に下方蓋がそれぞれ開閉可能に枢着される収納枠と、上記収納枠内に収納され、階下の床又はその付近まで伸長する梯子とを有し、上記上方蓋の開放操作又は上記下方蓋の下方に突出する開放操作部の操作に伴い上記下方蓋を開放する下方蓋開放機構を有する避難装置において、
上記下方蓋開放機構は、上記開放操作部と、上記上方蓋より垂下される上方蓋係止片が上記上方蓋の開放操作により係合する上方蓋係合部と、上記開放操作部及び上記上方蓋係合部と連動して上記下方蓋を脱着可能に保持する係止片とよりなり、上記上方蓋と上記収納枠との間には、上記収納枠の内部に形成される受け部材と上記上方蓋の内側面に形成される係合片とに両端が係止されるとともに、少なくとも一端が取り外し可能に係止されて掛け渡される開き止め片が設けられ、
上記開き止め片の係合により制限される上記上方蓋の開放可能範囲において、上記上方蓋係止片と上記上方蓋係合部が非係合状態を保持するように上記上方蓋係止片を開放可能範囲よりも長く形成してなることを特徴とする、避難装置。
【発明の詳細な説明】
【技術分野】
【０００１】
本発明は床・ベランダ等のスラブに穿設された開口部に取り付けられて上方及び下方から梯子を伸長降下可能にした避難装置に関する。
【背景技術】
【０００２】
一般に、この種の避難装置として、床・ベランダ等のスラブに穿設された開口部に取り付けられる収納枠と、この収納枠の床面側及び天井面側にそれぞれ枢着される上方蓋及び下方蓋と、上記収納枠内に折り畳まれて収納されると共に上記上方蓋及び下方蓋が開かれた時、階下の床もしくはその付近まで伸長するパンタグラフ式の梯子を具備するものが知られている。
【０００３】
上記のように構成される避難装置は、プライバシーを考慮して一般に上方蓋の開放に伴って下方蓋が開放する連動式の構造となっており、階下からの操作によって下方蓋を開放する事ができない構造となっている。従って、例えば地下室等の階下側から階上側への避難や階下側からの救援活動が十分に行えないという問題があった。
【０００４】
この問題を解決する手段として、特許第３１９４１１０号公報に見られるように、床・ベランダ等のスラブに穿設された開口部に取り付けられる収納枠と、この収納枠の床面側及び天井面側にそれぞれ枢着される上方蓋及び下方蓋と、上記収納枠内に折り畳まれて収納されると共に上記上方蓋及び下方蓋が開かれた時、階下の床もしくはその付近まで伸長する梯子とを具備する避難装置を前提とし、上記収納枠の内側面に回転可能に枢着されるアームに、上記下方蓋の自由端部を係脱可能に係止する係止片を垂下し、上記アームの一端部に、上記下方蓋が閉じた時にその下方に突出する開放操作部を垂下し、上記アームの他端には、上記上方蓋の開放動作の際のみ上方蓋に係合する開放動作伝達部を形成したものがある。
【０００５】
この発明は上記事情に鑑みてなされたもので、階下側から下方蓋と上方蓋を開放可能にした避難装置を提供する事を目的とする。
【特許文献１】特許第３１９４１１０号公報
【発明の開示】
【発明が解決しようとする課題】
【０００６】
しかしながら、特許第３１９４１１０号公報記載の構成では、子供のいたずら等により上方蓋を開放する事によっても上方蓋と連動して下方蓋が開放してしまうため、収納枠内の開口から住人などが落下するなどの危険性や、防犯上好ましくないという問題を有していた。
【課題を解決するための手段】
【０００７】
上記目的を達成するために、この発明の避難装置は、床・ベランダ等のスラブに穿設された開口部に取り付けられ、床面側に上方蓋が、天井面側に下方蓋がそれぞれ開閉可能に枢着される収納枠と、上記収納枠内に収納され、階下の床又はその付近まで伸長する梯子とを有し、上記上方蓋の開放操作又は上記下方蓋の下方に突出する開放操作部の操作に伴い上記下方蓋を開放する下方蓋開放機構を有する避難装置において、上記下方蓋開放機構は、上記開放操作部と、上記上方蓋より垂下される上方蓋係止片が上記上方蓋の開放操作により係合する上方蓋係合部と、上記開放操作部及び上記上方蓋係合部と連動して上記下方蓋を脱着可能に保持する係止片とよりなり、上記上方蓋と上記収納枠との間には、上記収納枠の内部に形成される受け部材と上記上方蓋の内側面に形成される係合片とに両端が係止されるとともに、少なくとも一端が取り外し可能に係止されて掛け渡される開き止め片が設けられ、上記開き止め片の係合により制限される上記上方蓋の開放可能範囲において、上記上方蓋係止片と上記上方蓋係合部が非係合状態を保持するように上記上方蓋係止片を開放可能範囲よりも長く形成するものである。
【発明の効果】
【０００８】
上記のように構成されるこの発明の避難装置によれば、上方蓋を開放する事により、係止片と下方蓋との係合が解除されて下方蓋が開放する。又、階下側に垂下された開放操作部を下方に引く事により、係止片と下方蓋との係合が解除されて下方蓋が開放する。従って、容易な操作により下方蓋を開放する事ができる。そして、階下側から梯子を伸長降下させて階下側から階上側への避難や救援活動を行う事ができる。
【０００９】
更に、上方蓋及び下方蓋が閉鎖された平常の状態において、開き止め部、すなわち開き止め片及び係合片を係合させておく事により、いたずら等で上方蓋が開放された際に、開き止め片の長さの範囲でしか上方蓋を開放する事ができず、開き止め片の長さを上方蓋係止片と上方蓋係合部とが係合するまでの上方蓋係止片の移動距離よりも短く形成しているため、係止片と下方蓋の係止部との係合を解除するまで下方蓋の開放を阻止する事ができる。更に、緊急時においては、容易な操作により開き止め片と係合片との係合を解除する事ができるため、避難等においても迅速に避難等を行う事が可能である。
【発明を実施するための最良の形態】
【００１０】
以下にこの発明の実施例を図面に基づいて詳細に説明する。
【００１１】
図１はこの発明の避難装置の使用状態（上方蓋及び下方蓋が開放し、梯子が展長した状態）を示す一部破断した斜視図、図２はこの発明の上方蓋及び下方蓋解放機構を示すために梯子等を省略した斜視図、図３はこの発明の上方蓋及び下方蓋開放機構により上方蓋及び下方蓋を連動させるために上方蓋を持ち上げてアームを回転させた状態を示す縦断面図、図４はこの発明における開き止め片と係合片の係合状態を示す縦断面図である。
【００１２】
この発明の避難装置１は、図１乃至図３に示すように、床・ベランダ等のスラブＳに穿設された開口部Ｈに取り付けられる収納枠３と、この収納枠３の床面側及び天井面側にそれぞれ枢着される上方蓋４及び下方蓋５と、収納枠３内に折り畳まれて収納されるパンタグラフ式の梯子２と、この梯子２の伸長降下速度を制御すると共に梯子２を引き上げ収納する緩降器１００と、収納枠３の内側面に回転可能に枢着される開放操作用のアーム６０を有する下方蓋解放機構６と、緩降器１００の梯子収納解除部１０１に連結する梯子伸長用チェーン１０２とで構成されている。
【００１３】
この場合、梯子２は、複数の縦桟２０をパンタグラフ式に枢着した一対の伸縮体２１間に複数の足踏み用の横桟２２を適宜間隔をおいて横架し、かつ収納枠３内に折り畳まれて収納されると共に、階下の床もしくはその付近まで伸長するようになっている。又、下部側の縦桟２０の間に横架された横桟２２と緩降器１００の巻き取りドラム１０３との間には巻き上げ用ワイヤ１０４が繋着されている。
【００１４】
上記収納枠３は、上部に外向きの上部フランジ３２を有し、かつ下端には外向きの下部フランジ３３を折曲した側壁部材３４を方形状に枠組みしてなる。又、梯子取付側の側壁部材３４の内側面には固定ボルトとナットをもって取付具１０５が固着され、この取付具１０５に梯子２の最上部である縦桟２０の上端部２３が枢止ボルト２４によって回転可能に枢止されている。この取付具１０５を固着する場合に、予め折り畳まれた梯子２を取付具１０５に取り付けておく事により、取付具１０５の固着作業と同時に梯子２の取付を行う事ができる。又、側壁部材３４の外側面にはＬ字状のアンカー部材３５がスポット溶接等によって固着されている。
【００１５】
上記上方蓋４は収納枠３の左右の側壁部材３４に取り付けられたリンク機構３６によって開閉可能に取り付けられ、開放状態においてほぼ垂直に起立保持されるようになっている。この上方蓋４のほぼ中央内側面には手掛部４１が固設されており、又、上方蓋４の自由端側の内側面には後述するように下方蓋解放機構６に係合する上方蓋係止片７が回転可能に垂下されている。
【００１６】
又、上記収納枠３と下方蓋５との間にはステーダンパ５１が架設されており、このステーダンパ５１によって下方蓋５の開放動作の速さが制御されるようになっている。又、下方蓋５と収納枠３との間には開放された下方蓋５を閉じる際に引き上げるための引き上げチェーン１０６が連結されている。
【００１７】
上記緩降器１００は、巻き上げ用ワイヤ１０４の巻き取りドラム１０３と同軸上に装着された爪車に梯子収納解除部１０１が一方向のみに係合するラチェット機構を具備している。このように構成される緩降器１００において、梯子収納解除部１０１を押し下げて爪車との係合を解除する事により、梯子２が自重によって伸長降下するが、この際ブレーキ機構によって伸長降下速度が制御される。又、梯子収納解除部１０１に梯子伸長用チェーン１０２が繋着されており、この梯子伸長用チェーン１０２を下方に引く事によって、梯子収納解除部１０１と爪車との係合が解かれて梯子２が自重によって伸長降下する。なお、伸長した梯子２を収納するには、収納枠３の内側面に取り外し可能に配置された巻き取りドラム１０３を回転する事によって巻き上げ用ワイヤ１０４を巻き取って梯子２を収納する事ができる。
【００１８】
一方、上記下方蓋解放機構６は、図２乃至図３に示すように、収納枠３の左右内側面に固着されるアーム取付座３０に回転軸６５をもって回転可能に枢着される回転係止片６１と、回転係止片６１同士を収納枠３の蓋自由端側で連結する連接片６２とよりなるアーム６０と、このアーム６０の回転係止片６１と回転軸６５の位置で一体に垂下され、下方蓋５の内側に設けられる角パイプ状の係止部５０と係脱可能に係合する係止片６４と、アーム６０の一方の回転係止片６１の梯子取付側端部に回転可能に垂下される開放操作部６３と、上方蓋４の下面側に垂下される上方蓋係止片７のフック部７０と係脱可能に係合する上方蓋係合部６８とで構成されている。
【００１９】
この場合、アーム６０の回転係止片６１の蓋自由端側端部に設けられるばね係合孔６６と収納枠３の左右の側壁部材３４より突出するピン３１との間に張設されるばね部材６７によって係止片６４が係止部５０に係合した状態が維持されるようになっている。又、下方蓋５を閉じる際に、係止部５０が係止片６４の下端に設けられた傾斜案内面６４１とずれる事なく当たって下方蓋５の収納を確実にする事ができる。
【００２０】
なお、開放操作部６３はアーム６０にヒンジピンによって枢着されており、下方蓋５が閉じた状態で下方蓋５の下方に突出するこの開放操作部６３の下端部に設けられた係合孔６３１に直接下階から開放フックＦを引掛けてアーム６０を回転して、係止片６４と係止部５０との係合状態を解除する事ができる。
【００２１】
上方蓋係止片７は、上方蓋４の下面に固着されたＬ字状のブラケット４２に回転軸をもって回転可能に枢着されており、下端の蓋自由端側に設けられたフック部７０にアーム６０の上方蓋係合部６８が係合するようになっている。従って、上方蓋４の開放動作の際、アーム６０が回転して係止片６４と係止部５０との係合が解除されて下方蓋５が開放される。又、上記フック部７０の上部に、山形状に形成される案内辺７１が設けられており、上記フック部７０と上方蓋係合部６８とが係合している時を除いて常に案内辺７１と上方蓋係合部６８とが当接しており、上方蓋４の開放又は閉鎖時においては同部分が摺動するようになっている。これにより、フック部７０と上方蓋係合部６８とを確実に係合させる事ができる。又、上方蓋係止片７の全長は、上記収納枠３の高さよりも大きいため、垂下状態で上方蓋係止片７の先端部と下方蓋５とが当たり、突っかえて上方蓋４が閉鎖できなくなるという問題を防止するために、蓋閉鎖時には案内辺７１の山形の頂点付近と上方蓋係合部６８とが当接するようにして、上方蓋係止片７を斜めに傾けて収納する。
【００２２】
更に、図４に示すように、上記収納枠３の蓋自由端側の側壁部材３４内側面より、棒状部９０及び抜け止め部９１よりなる受け部材９を突出し、薄板状で内部に長手方向に沿う孔部（長孔）８１を形成した開き止め片８０を、受け部材９が上記長孔８１内で移動可能に設けると共に、上方蓋４内側面の上記開き止め片８０と対応する位置に先端フック状の係合片４０とよりなる開き止め部８を形成して、開き止め片８０の長孔８１の上端部と係合片４０とを係合させる事により、上方蓋４の開放を制限する事ができる。従って、開き止め片８０の長孔８１の長さを、上方蓋４を開放する時に、アーム６０の係止片６４と下方蓋５の係止部５０との係合を解除しない程度に短く形成する事で、いたずら等による上方蓋４の開放に連動して、下方蓋５が開放されてしまう事を防止する事ができる。緊急時においては、容易な操作で係合を解除する事ができるので、支障なく避難等を行う事ができる。前述の通り、上方蓋係止片７の長さを長くしているため、係合を解除するために充分に上方蓋４を開口させる事が可能となっている。
【００２３】
次に、この発明の避難装置１の使用操作及び格納操作について説明する。
【００２４】
◎階上側から操作する場合
不使用状態から上方蓋４をやや持ち上げて、開き止め部８、すなわち開き止め片８０と係合片４０との係合を解除した後に更に上方蓋４を開放すると、上方蓋４の開放に伴って上方蓋係止片７のフック部７０がアーム６０を引き上げ、係止片６４と下方蓋５の係止部５０との係合が外れるまでアーム６０を回転させる。アーム６０の回転に伴って係止片６４が回転して係止部５０との係合が外れると、下方蓋５は自重によって開放する。この時、ステーダンパ５１により下方蓋５はやや減速されながら開放する事になる。次に、緩降器１００の梯子収納解除部１０１を押し下げて爪車との係合を解除すれば梯子２が伸長降下され、階下へ避難する事ができる。
【００２５】
◎階下側から操作する場合
不使用状態において、階下に備えられる開放フックＦを開放操作部６３の係合孔６３１に引掛けて下方へ引張ると、アーム６０が回転する。アーム６０の回転に伴って係止片６４が回転して係止部５０との係合が外れると、上記の階上側からの操作と同様に、下方蓋５はステーダンパ５１により減速されつつ自重によって開放する。下方蓋５の開放に伴って梯子伸長用チェーン１０２が階下側に垂下するので、この梯子伸長用チェーン１０２を引張って緩降器１００の梯子収納解除部１０１と爪車の係合を解けば梯子２が伸長降下される。梯子２を登って開き止め部８、すなわち開き止め片８０と係合片４０との係合を解除した後、上方蓋４を押し開いて階下側から階上側へ出る事ができ、階下側から階上側への避難や救援活動を行う事ができる。なお、開放フックＦと替えて開放操作部６３にチェーン等（図示なし）を接続しておいても良い。
【００２６】
◎梯子を収納する場合
伸長された梯子２を収納する場合には、まず、階上側から巻き上げハンドル（図示なし）によって巻き取り用ドラム１０３を回転して巻き上げ用ワイヤ１０４を巻き取って梯子２を引き上げる。その後、引き上げチェーン１０６を手繰って下方蓋５を閉じると、係止部５０は係止片６４の傾斜案内面６４１に当たりばね部材６７の弾発力に抗して係止片６４を押しのけた後、係止部５０が係止片６４に係止される。この時、前述の通り、上方蓋係止片７は案内辺７１と上方蓋係合部６８との当接、摺動により傾斜して収納されるため、上方蓋４が閉まらないという問題は防止される。そして、開き止め片８０と係合片４０を係合状態として、上方蓋４を閉じれば梯子２の収納操作が完了する。
【００２７】
なお、上記実施例では梯子２がパンタグラフ式の場合について説明したが、必ずしも梯子２はパンタグラフ式である必要はなく、例えばテレスコープ式に伸縮する型式のものであっても構わない。
【図面の簡単な説明】
【００２８】
【図１】この発明に係る避難装置の使用状態を示す斜視図である。
【図２】この発明に係る上方蓋及び下方蓋開放機構の要部を示す斜視図である。
【図３】この発明に係る上方蓋及び下方蓋解放機構により上方蓋及び下方蓋を連動させるために上方蓋を持ち上げてアームを回転させた状態を示す縦断面図である。
【図４】この発明に係る開き止め片と係合片の係合状態を示す縦断面図である。
【符号の説明】
【００２９】
Ｓ        スラブ
Ｈ        開口部
Ｆ        開放フック
１        避難装置
２        梯子
２０      縦桟
２１      伸縮体
２２      横桟
２３      （縦桟の）上端部
２４      枢止ボルト
３        収納枠
３０      アーム取付座
３１      ピン
３２      上部フランジ
３３      下部フランジ
３４      側壁部材
３５      アンカー部材
３６      リンク機構
４        上方蓋
４０      係合片
４１      手掛部
４２      ブラケット
５        下方蓋
５０      係止部
５１      ステーダンパ
６        下方蓋開放機構
６０      アーム
６１      回転係止片
６２      連接片
６３      開放操作部
６３１    係合孔
６４      係止片
６４１    傾斜案内面
６５      回転軸
６６      ばね係合孔
６７      ばね部材
６８      上方蓋係合部
７        上方蓋係止片
７０      フック部
７１      案内辺
８        開き止め部
８０      開き止め片
８１      孔部（長孔）
９        受け部材
９０      棒状部
９１      抜け止め部
１００    緩降器
１０１    梯子収納解除部
１０２    梯子伸長用チェーン
１０３    巻き取りドラム
１０４    巻き上げ用ワイヤ
１０５    取付具
１０６    引き上げチェーン
【図１】
0004623579.tif 000002
【図２】
0004623579.tif 000003
【図３】
0004623579.tif 000004
【図４】
0004623579.tif 000005